(57)【要約】【課題】コントローラＩＣの不良箇所を容易に特定できるようにする。【解決手段】チューナ２からのビデオ信号をデコードするデコード部５と、デコードされたビデオ信号の映像が表示される液晶表示部４を制御する制御部７とが１チップ半導体に組み込まれたコントローラＩＣ３において、デコード部５と制御部７との間に信号選択部６を設ける。信号選択部６は、デコード部５でデコードされたビデオ信号ａと、パターンジェネレータ１０から入力されるテストパターン信号ｂとをモード切換信号ｃに応じて切り換え、通常モードにおいてはビデオ信号ａを、テストモードにおいてはテストパターン信号ｂを選択する。制御部７は、テストモードにおいて信号選択部６で選択されたテストパターン信号ｂに基づき、液晶表示部４に所定のパターン映像を表示させる。【選択図】    図１
2004349997.tif 000002
【特許請求の範囲】
【請求項１】
チューナからのビデオ信号をデコードするデコード部と、このデコード部でデコードされたビデオ信号に基づく映像が表示される液晶表示部を制御する制御部とを備え、前記デコード部および制御部が１チップ半導体に組み込まれた液晶テレビ用のコントローラＩＣにおいて、
前記コントローラＩＣのデコード部と制御部との間に信号選択部を設け、
前記信号選択部は、デコード部でデコードされたビデオ信号と、外部のパターンジェネレータから入力されるテストパターン信号とをモード切換信号に応じて切り換える機能を有していて、通常モードにおいてはビデオ信号を、テストモードにおいてはテストパターン信号をそれぞれ選択し、
前記制御部は、テストモードにおいて前記信号選択部により選択されたテストパターン信号に基づいて液晶表示部に所定のパターン映像を表示させることを特徴とするコントローラＩＣ。
【請求項２】
ビデオ信号をデコードするデコード部と、このデコード部でデコードされたビデオ信号に基づく映像が表示される表示部を制御する制御部とを備え、前記デコード部および制御部が１チップ半導体に組み込まれた映像機器用のコントローラＩＣにおいて、
前記コントローラＩＣのデコード部と制御部との間に信号選択部を設け、
前記信号選択部は、ビデオ信号と外部から入力されるテスト信号とを切り換える機能を有しており、
前記制御部は、前記信号選択部により選択されたテスト信号に基づいて表示部に所定の映像を表示させることを特徴とするコントローラＩＣ。
【請求項３】
チューナと、このチューナからのビデオ信号を処理するコントローラＩＣと、このコントローラＩＣで処理されたビデオ信号に基づいて映像を表示する液晶表示部とを備え、前記コントローラＩＣは、前記チューナからのビデオ信号をデコードするデコード部と、前記液晶表示部を制御する制御部とが組み込まれた１チップ半導体から構成されている液晶テレビにおいて、
前記コントローラＩＣのデコード部と制御部との間に信号選択部を設け、
前記信号選択部は、デコード部でデコードされたビデオ信号と、外部のパターンジェネレータから入力されるテストパターン信号とをモード切換信号に応じて切り換える機能を有していて、通常モードにおいてはビデオ信号を、テストモードにおいてはテストパターン信号をそれぞれ選択し、
前記制御部は、テストモードにおいて前記信号選択部により選択されたテストパターン信号に基づいて液晶表示部に所定のパターン映像を表示させることを特徴とする液晶テレビ。
【発明の詳細な説明】
【０００１】
【発明の属する技術分野】
本発明は、液晶テレビなどに用いられるコントローラＩＣに関するものである。
【０００２】
【従来の技術】
図３は、従来の液晶テレビの概略ブロック図を示している。５０は液晶テレビであって、チューナ５１と、このチューナ５１からのビデオ信号または外部から入力されるビデオ信号を処理するコントローラＩＣ５２と、このコントローラＩＣ５２で処理されたビデオ信号に基づいて映像を表示する液晶表示部５３とを備えている。コントローラＩＣ５２は、ビデオ信号をデコードするデコード部５４と、液晶表示部５３を制御する制御部５５とが１チップ半導体に組み込まれて構成されている。５６は放送電波を受信するアンテナである。
【０００３】
アンテナ５６で受信された信号はチューナ５１で選局され、所定のビデオ信号がコントローラＩＣ５２に入力される。コントローラＩＣ５２のデコード部５４は、入力されたビデオ信号をデジタル信号に変換するなどの処理を行う。また、外部から入力されたビデオ信号に対しても同様の処理を行う。デジタル信号に変換されたビデオ信号は、制御部５５に与えられる。制御部５５では、デコード部５４からのビデオ信号に基づく映像を液晶表示部５３に表示させるための駆動信号を生成し、これを液晶表示部５３に出力する。液晶表示部５３では、制御部５５からの駆動信号に基づいて液晶セルが駆動され、所定の映像が表示される。
【０００４】
下記の特許文献１、２には、液晶表示装置における検査に関する技術が開示されている。特許文献１には、液晶駆動回路の駆動能力を検査するための検査回路が記載されており、特許文献２には、電源入力を切り換えるスイッチ回路の漏れ電流を検査するための回路が記載されている。また、特許文献３には、正規でない信号が入力された場合に、乱れた画像の表示を防止するため、あらかじめ内蔵されている所定のパターンを画面に表示する技術が開示されている。
【０００５】
【特許文献１】
特開昭５４−４４４９７号公報
【特許文献２】
特開平３−２３７４２８号公報
【特許文献３】
特開平１０−３１９９１６号公報
【０００６】
【発明が解決しようとする課題】
図３に示した液晶テレビ５０において、チューナ５１で受信したビデオ信号の映像が液晶表示部５３に正常に表示されない場合は、コントローラＩＣ５２に異常があると考えられる。しかしながら、コントローラＩＣ５２は上述したように、デコード部５４と制御部５５とが組み込まれた１チップ半導体で構成されているため、デコード部５４が不良なのか、制御部５５が不良なのかの区別がつかず、検査においてチップの不良箇所を特定することができないという問題がある。この問題に対しては、上記特許文献１〜３にも有効な解決策は示されていない。
【０００７】
本発明は、上記課題を解決するものであって、その目的とするところは、不良箇所を容易に特定できるコントローラＩＣを提供することにある。
【０００８】
【課題を解決するための手段】
本発明では、ビデオ信号をデコードするデコード部と、このデコード部でデコードされたビデオ信号に基づく映像が表示される表示部を制御する制御部とを備え、デコード部および制御部が１チップ半導体に組み込まれた映像機器用のコントローラＩＣにおいて、デコード部と制御部との間に信号選択部を設ける。この信号選択部は、ビデオ信号と外部から入力されるテスト信号とを切り換える機能を有しており、制御部は、信号選択部により選択されたテスト信号に基づいて表示部に所定の映像を表示させる。
【０００９】
ビデオ信号の映像が表示部に正常に表示されず、コントローラＩＣに不良があると考えられる場合は、コントローラＩＣに外部からテスト信号を入力し、表示部にテスト信号に基づく映像（テストパターンなど）を表示させる。この映像が正常に表示されれば、制御部には異常がなくデコード部に異常があると判別することができる。一方、テスト信号に基づく映像が正常に表示されなければ、制御部に異常があると判別することができる。このように、信号選択部を設けてテスト信号による映像を確認することにより、チップの不良箇所を特定することができる。
【００１０】
典型的な実施形態においては、本発明のコントローラＩＣは液晶テレビに搭載され、信号選択部は、デコード部でデコードされたビデオ信号と、外部のパターンジェネレータから入力されるテストパターン信号とをモード切換信号に応じて切り換える機能を有していて、通常モードにおいてはビデオ信号を、テストモードにおいてはテストパターン信号をそれぞれ選択する。また、制御部は、テストモードにおいて信号選択部により選択されたテストパターン信号に基づいて液晶表示部に所定のパターン映像を表示させる。これによると、パターンジェネレータを接続することにより、種々のテストパターンを用いて簡単にテストを行うことができる。
【００１１】
【発明の実施の形態】
図１は、本発明に係るコントローラＩＣとそれを搭載した液晶テレビの実施形態を示すブロック図である。なお、ここでは本発明に関係するブロックのみを図示している。１は液晶テレビであって、チューナ２と、このチューナ２からのビデオ信号または外部から入力されるビデオ信号を処理するコントローラＩＣ３と、このコントローラＩＣ３で処理されたビデオ信号に基づいて映像を表示する液晶表示部４とを備えている。
【００１２】
コントローラＩＣ３は、ビデオ信号をデコードするデコード部５と、デコード部５からのビデオ信号と外部から入力されるテストパターン信号とを切り換える機能を有する信号選択部６と、液晶表示部４を制御する制御部７とを備えており、これらのデコード部５、信号選択部６および制御部７は、１チップ半導体に組み込まれて構成されている。８は、通常モードとテストモードとを切り換えるためのモード切換部であって、例えばディップスイッチなどから構成されている。９は放送電波を受信するアンテナである。
【００１３】
１０はテストパターン信号を生成するパターンジェネレータであって、テストパターンを発生するパターン発生部１１と、複数のテストパターンの中から所定のパターンを選択するためのパターン選択部１２とを備えている。テストパターンとしては、例えばカラーバーや格子パターンなどがある。パターンジェネレータ１０から出力されるテストパターン信号ｂはクロック信号とデータ信号とからなり、それぞれの信号はシリアル信号としてコントローラＩＣ３の信号選択部６に入力される。
【００１４】
次に、動作について説明する。モード切換部８で通常モードが選択されている場合、アンテナ９で受信された信号はチューナ２で選局され、所定のビデオ信号がコントローラＩＣ３に入力される。コントローラＩＣ３のデコード部５は、入力されたビデオ信号をデジタル信号に変換するなどの処理を行う。また、外部から入力されたビデオ信号に対しても同様の処理を行う。通常モードでは、モード切換信号ｃに応じて、信号選択部６はテストパターン信号を選択せずビデオ信号を選択するため、デコード部５でデジタル信号に変換されたビデオ信号ａは、信号選択部６を通過して制御部７に与えられる。制御部７では、デコード部５からのビデオ信号ａに基づく映像を液晶表示部４に表示させるための駆動信号ｄを生成し、これを液晶表示部４に出力する。液晶表示部４では、制御部７からの駆動信号ｄに基づいて液晶セルが駆動され、所定の映像が表示される。
【００１５】
ビデオ信号の映像が液晶表示部４に正常に表示されず、コントローラＩＣ３に不良があると考えられる場合は、モード切換部８でテストモードを選択するとともに、パターンジェネレータ１０をケーブルによりコントローラＩＣ３のテスト用端子に接続する。そして、パターン選択部１２で所定のパターンを選択し、選択したパターンをパターン発生部１１で発生させる。テストモードでは、モード切換信号ｃに応じて、信号選択部６はビデオ信号ａを選択せず、テストパターン信号ｂを選択するため、パターンジェネレータ１０からシリアル入力されるテストパターン信号ｂは、信号選択部６を通過して制御部７に与えられる。制御部７では、テストパターン信号ｂに基づく映像を液晶表示部４に表示させるための駆動信号ｄを生成し、これを液晶表示部４に出力する。液晶表示部４では、制御部７からの駆動信号ｄに基づいて液晶セルが駆動され、所定のパターン映像が表示される。
【００１６】
ここで、パターンジェネレータ１０において例えば格子パターンを選択した場合、液晶表示部４に格子パターンの映像が正常に表示されれば、制御部７に異常はなくデコード部５に異常があると判別することができる。一方、液晶表示部４に格子パターンの映像が正常に表示されず、例えば、歪んだパターンが表示されたり、画面に何も表示されなかったり、あるいは乱れた映像が表示されるような場合は、制御部７に異常があると判別することができる。
【００１７】
このようにして、上記実施形態においては、コントローラＩＣ３に信号選択部６を設け、テストモード時に信号選択部６によりテストパターン信号ｂを選択して液晶表示部４にテストパターンを表示させるようにしたので、表示された映像が選択したテストパターンの映像と一致するか否かを目視で確認することによって、デコード部５と制御部７の異常を区別して診断することができ、チップの不良箇所を特定することが可能となる。また、パターンジェネレータ１０をケーブルで接続することで、種々のテストパターンを用いて簡単にテストを行うことができる。
【００１８】
図２は、信号選択部６の具体的構成の一例を示した図である。６１〜６５は信号切換回路であって、デコード部５からのビデオ信号の各ラインと、パターンジェネレータ１０からのテストパターン信号の各ラインと、モード切換部８からのモード切換信号とが入力される。信号切換回路６１〜６５は、いずれもロジック回路で構成されており、モード切換信号が通常モードを表す信号である場合は、ビデオ信号の各ラインからそれぞれ入力されるビデオ信号を出力し、モード切換信号がテストモードを表す信号である場合は、テストパターン信号の各ラインからそれぞれ入力されるテストパターン信号を出力するようになっている。
【００１９】
以上述べた実施形態においては、モード切換部８を設けて、このモード切換部８においてテストモードを手動で設定するようにしたが、コントローラＩＣ３のテスト用端子にパターンジェネレータ１０がケーブルで接続されたときに、自動的にテストモードが設定されるようにしてもよい。また、上記実施形態においては、テストパターン信号を用いて液晶表示部４にパターン映像を表示させるようにしたが、パターンに限らず、テスト信号に基づく任意の映像を表示させるようにしてもよい。また、上記実施形態のように、コントローラＩＣ３にテストパターン信号ｂをシリアルに入力することで、信号のライン数を少なくできる利点があるが、本発明では必ずしもテストパターン信号をシリアルに入力する必要はなく、パラレルに入力してもよい。さらに、上記実施形態では液晶テレビを例に挙げたが、本発明は液晶テレビ以外の映像機器にも適用することができる。
【００２０】
【発明の効果】
本発明によれば、コントローラＩＣに信号選択部を設けて、テスト信号による映像を表示部に表示させるようにしたので、この映像を確認することにより、デコード部と制御部の異常を区別することができ、検査においてコントローラＩＣの不良箇所を特定することが可能となる。
【図面の簡単な説明】
【図１】本発明に係るコントローラＩＣとそれを搭載した液晶テレビの実施形態を示すブロック図である。
【図２】信号選択部の具体的構成の一例を示した図である。
【図３】従来の液晶テレビの概略ブロック図である。
【符号の説明】
１    液晶テレビ
２    チューナ
３    コントローラＩＣ
４    液晶表示部
５    デコード部
６    信号選択部
７    制御部
８    モード切換部
９    アンテナ
１０  パターンジェネレータ
１１  パターン発生部
１２  パターン選択部
６１〜６５  信号切換回路
ａ    ビデオ信号
ｂ    テストパターン信号
ｃ    モード切換信号
ｄ    駆動信号
【図１】
2004349997.tif 000003
【図２】
2004349997.tif 000004
【図３】
2004349997.tif 000005